(57)【要約】【課題】部品点数及び組立工数を削減し、防水性を向上させることができる電力量計を提供する。【解決手段】電力配電線を固定するとともにインサート成形された封印部３３を有するベース１３ａと、ベース１３ａを収納するとともに封印部３３を貫通させる溝部３１が形成されたケース１０ａと、ケース１０ａに形成された溝部３１を貫通した封印部３３を覆う封印キャップ２３とを備える。【選択図】図１
2015222213.tif 000002
【特許請求の範囲】
【請求項１】
電力配電線を固定するとともにインサート成形された封印部を有するベースと、
前記ベースを収納するとともに前記封印部を貫通させる溝部が形成されたケースと、
前記ケースに形成された前記溝部を貫通した前記封印部を覆う封印キャップと、
を備えることを特徴とする電力量計。
【請求項２】
前記封印キャップと前記ケースとの接合部分の一部に隙間部を設けたことを特徴とする請求項１記載の電力量計。
【請求項３】
前記ベースと前記ケースとの前記封印部周囲に段差部を設けたことを特徴とする請求項１又は請求項２記載の電力量計。
【請求項４】
前記ケースには前記封印キャップの周囲を覆うリブが形成されていることを特徴とする請求項１乃至請求項３のいずれか１項記載の電力量計。
【請求項５】
前記封印部と前記溝部と前記封印キャップとの各々は、複数個設けられることを特徴とする請求項１乃至請求項４のいずれか１項記載の電力量計。
【発明の詳細な説明】
【技術分野】
【０００１】
本発明は、封印部を有する電力量計に関する。
【背景技術】
【０００２】
電力量計は、電力配電線を固定するベースと、ベースを収納するケースとを有して構成される。このような電力量計では、ケースとベースとの封印を行うための封印部を有している。
【０００３】
図７は、封印構造を有する従来の電力量計の斜視図である。図７（ａ）、図７（ｃ）はケース１０に端子カバー１１を取り付けた状態、図７（ｂ）はケース１０にベース１３を収納した状態、図７（ｄ）は端子カバー１１の背面を示す。
【０００４】
図８は、図７に示す従来の電力量計の分解図である。電力量を表示する表示部１５を有する回路部１４は、ケース１０に収納される。導体部１６には導体部１６に流れる電流を検出するセンサ部１７が取り付けられている。
【０００５】
４つの導体部１６の内、左側の２つの導体部１６には、電力供給側からの配電線を固定する電源側端子が取り付けられている。右側の２つの導体部１６には、需要家への配電線を固定する負荷側端子が取り付けられている。導体部１６はベース１３に収納され、端子カバー１１は、ベース１３を覆うとともにケース１０に取り付けられる。回路部１４にはスイッチ部１８が取り付けられている。
【０００６】
また、電力量計の封印は、以下のように実施される。即ち、ベース１３に形成された穴２０に雌ねじからなるインサート部品１９を圧入し、１つ以上の雄ねじからなる封印部２１をケース１０に形成された穴２２に通して、ケース１０とベース１３とを挟み込むようにして、封印部２１の雄ねじをインサート部品１９の雌ねじに締め付けることで固定する。そして、封印部２１のねじ頭に封印キャップ２３を取り付けるか、あるいは、図示しないワイヤーを雄ねじのねじ頭とケース１０とに貫通させて封印していた。
【０００７】
なお、従来の技術としては、例えば、特許文献１、特許文献２に記載された技術が知られている。
【先行技術文献】
【特許文献】
【０００８】
【特許文献１】特開２００６−２７５８００号公報
【特許文献２】特開２００５−３２２１２３号公報
【発明の概要】
【発明が解決しようとする課題】
【０００９】
しかしながら、電力量計の製造において、雌ねじ部品であるインサート部品１９の増加、インサート部品１９をベース１３に熱圧入する後加工の増加、ねじを締め付ける工程の増加により、コストがアップしていた。
【００１０】
また、電力量計の防水性能としては、雄ねじと雌ねじとのねじ締め付け部の周囲において水が浸入するため、ベース１３から下方の端子カバー１１に水が流れる構造としていた。しかし、高い水圧の水が浸入した場合には、水がベース１３の上方にせり上がり、ベース内部の回路部に水が浸入することが懸念されていた。
【００１１】
本発明の課題は、部品点数及び組立工数を削減し、防水性を向上させることができる電力量計を提供する。
【課題を解決するための手段】
【００１２】
上記課題を解決するために、本発明に係る請求項１の発明は、電力配電線を固定するとともにインサート成形された封印部を有するベースと、前記ベースを収納するとともに前記封印部を貫通させる溝部が形成されたケースと、前記ケースに形成された前記溝部を貫通した前記封印部を覆う封印キャップとを備えることを特徴とする。
【００１３】
請求項２の発明は、前記封印キャップと前記ケースとの接合部分の一部に隙間部を設けたことを特徴とする。
【００１４】
請求項３の発明は、前記ベースと前記ケースとの前記封印部周囲に段差部を設けたことを特徴とする。
【００１５】
請求項４の発明は、前記ケースには前記封印部の周囲を覆うリブが形成されていることを特徴とする。
【００１６】
請求項５の発明は、前記封印部と前記溝部と前記封印キャップとの各々を複数個設けていることを特徴とする。
【発明の効果】
【００１７】
本発明によれば、ベースに有するインサート成形された封印部をケースに形成された溝部に貫通させ、封印部を封印キャップで覆うので、部品点数及び組立工数を削減できる電力量計を提供することができる。
【図面の簡単な説明】
【００１８】
【図１】本発明の実施例１に係る電力量計の全体構成図及び分解図である。
【図２】本発明の実施例１に係る電力量計の分解図である。
【図３】本発明の実施例２に係る電力量計の斜視図である。
【図４】本発明の実施例３に係る電力量計の全体構成図及び分解図である。
【図５】本発明の実施例３に係る電力量計の分解図である。
【図６】本発明の実施例４に係る電力量計の斜視図である。
【図７】封印構造を有する従来の電力量計の斜視図である。
【図８】図７に示す従来の電力量計の分解図である。
【発明を実施するための形態】
【００１９】
以下、本発明の実施の形態に係る電力量計について、図面を参照しながら詳細に説明する。
【実施例１】
【００２０】
図１は、本発明の実施例１に係る電力量計の全体構成図及び分解図である。図２は、本発明の実施例１に係る電力量計の分解図である。図１（ａ）はケース１０ａにベース１３ａを取り付けた状態を示す図、図１（ｂ）、図２（ａ）はケース１０ａを示す図、図１（ｃ）、図２（ｂ）はベース１３ａを示す図、図１（ｄ）はインサート成形された封印部３３の断面図である。
【００２１】
図１（ｂ）に示すように、ベース１３ａは、電力配電線を固定するとともにインサート成形された封印部３３を有する。この封印部３３は、図１（ｃ）、図１（ｄ）に示すように、ベース１３ａに形成された突起部３２にインサートされている。
【００２２】
図１（ａ）に示すケース１０ａは、図１（ｃ）に示すベース１３ａを収納するとともに封印部３３を貫通させるためのコの字状の溝部３１と、ベース１３ａに形成された突起部３２と嵌合する切欠部１００とが形成されている。封印キャップ２３は、ケース１０ａに形成された溝部３１を貫通した封印部３３を覆う。
【００２３】
回路部１４は、電力量を表示する表示部１５を有する。導体部１６には導体部１６に流れる電流を検出するセンサ部１７が取り付けられている。導体部１６と回路部１４はベース１３ａに収納される。
【００２４】
このように構成された実施例１に係る電力量計によれば、ベース１３ａに有するインサート成形された封印部３３をケース１０ａに形成された溝部３１に挿入して貫通させるとともに、ベース１３ａに形成された突起部３２をケース１０ａに形成された切欠部１００と嵌合させる。その後、封印部３３を封印キャップ２３で覆うことにより、図１（ａ）に示すような封印構造となる。従って、部品点数及び組立工数を削減できる電力量計を提供することができる。
【実施例２】
【００２５】
図３は、本発明の実施例２に係る電力量計の斜視図である。図３に示す実施例２に係る電力量計は、図１に示す実施例１に係る電力量計に対して、さらに、封印キャップ２３とケース１０ｂとの接合部分の一部に凹状の隙間部３４を設けたことを特徴とする。
【００２６】
このような構成によれば、凹状の隙間部３４にドライバー等の治具を挿入して、テコの原理により、封印キャップ２３を容易に外すことができる。また、実施例２に係る電力量計によっても実施例１に係る電力量計の効果も得ることができる。
【実施例３】
【００２７】
図４は、本発明の実施例３に係る電力量計の全体構成図及び分解図である。図５は、本発明の実施例３に係る電力量計の分解斜視図である。図４（ａ）はケース１０ｂにベース１３ｂを取り付けた状態を示す図、図４（ｂ）、図５（ａ）はケース１０ｂを示す図、図４（ｃ）、図５（ｂ）はベース１３ｂを示す図、図４（ｄ）はインサート成形された封印部周囲の断面図である。
【００２８】
ベース１３ｂには、ベース凸部３５とベース凹部３６とが形成され、図４（ｄ）に示すように、封印部３３は、ベース凸部３５にインサートされている。ベース凸部３５とベース凹部３６とは、ケース１０ｂに形成された溝部３１に嵌合されるようになっている。
【００２９】
また、ケース１０ｂには、封印キャップ２３に接合する第１前面部３８と、第１前面部３８の後方でかつ段差部３７を有する第２前面部３９とが形成されている。段差部３７は、封印部３３周囲に設けられている。
【００３０】
このように構成された実施例３に係る電力量計によれば、ベース１３ａとケース１０ｂとの封印部３３周囲に段差部３７を設けたので、水を強制的に下方に流すことができる。このため、水がベース内の回路部１４に浸入しなくなるので、防水性を向上させることができる。また、実施例３に係る電力量計によっても実施例１に係る電力量計の効果も得ることができる。
【実施例４】
【００３１】
図６は、本発明の実施例４に係る電力量計の斜視図である。図６に示す実施例４に係る電力量計は、図１に示す実施例１に係る電力量計に対して、さらに、ケース１０ｃに封印キャップ２３の周囲を覆うリブ４０を形成したことを特徴とする。
【００３２】
このような構成によれば、ケース１０ｃに封印キャップ２３の周囲を覆うリブ４０を形成したので、外部からの衝撃による封印の破損、第３者のいたずらによる封印の取り外しを防止することができる。また、実施例４に係る電力量計によっても実施例１に係る電力量計の効果も得ることができる。
【００３３】
なお、本発明は、上述した実施例１乃至実施例４の電力量計に限定されることはない。実施例１乃至実施例４では、封印部３３と溝部３１と封印キャップ２３との各々を１個設けたが、例えば、封印部３３と溝部３１と封印キャップ２３との各々を複数個設けるようにしても良い。このようにすれば、さらに、効果が大となる。
【００３４】
また、実施例１乃至実施例４の電力量計の２つ以上の実施例を組み合わせても良い。このようにすれば、さらに、効果が大となる。
【符号の説明】
【００３５】
１０，１０ａ，１０ｂ  ケース
１１  端子カバー
１３，１３ａ  ベース
１４  回路部
１５  表示部
１６  導体部
１７  センサ部
１８  スイッチ部
１９  インサート部品  
２０，２２  穴
２１，３３  封印部
２３  封印キャップ
３１，３１ｂ  溝部
３１ａ  突出部
３２  突起部
３４  隙間部
３５  ベース凸部
３６  ベース凹部
３７  段差部
３８  第１前面部
３９  第２前面部
４０  リブ
【図１】
2015222213.tif 000003
【図２】
2015222213.tif 000004
【図３】
2015222213.tif 000005
【図４】
2015222213.tif 000006
【図５】
2015222213.tif 000007
【図６】
2015222213.tif 000008
【図７】
2015222213.tif 000009
【図８】
2015222213.tif 000010